(57)【要約】【課題】測定装置の内部状態の監視や調整を行うために接続される外部装置の保管・管理の煩雑さを軽減し、特殊機能が組み込まれた測定装置の調整も漏れなく確実に実施できるようにする。【解決手段】測定装置１Ａはそれぞれ装置固有の識別コードを有し、通信線４を介して外部装置２が接続されると識別コードが外部装置２に送出される。外部装置２は、識別コードと画面構成情報とが対応付けられたテーブル２３１を備え、参照制御部２１はテーブル２３１を参照して、与えられた識別コードに対応した画面構成情報を取得する。表示制御部２２は画面構成情報で規定される画面レイアウトや表示項目などに基づいて画面を構成し、表示部２４の画面上に表示させる。共通の外部装置を用いて、測定装置毎に対応した異なる表示画面を表示することができる。【選択図】図１
2009272892.tif 000002
【特許請求の範囲】
【請求項１】
単体で対象物の測定を実施する測定装置と、必要に応じて有線又は無線の通信線を通して前記測定装置と接続される外部装置と、を含む測定システムであって、
前記測定装置は、
a1)当該装置固有の識別情報を保持する識別情報保持手段と、
a2)前記通信線を通して前記外部装置に前記識別情報を送出する情報送出手段と、
を備え、
前記外部装置は、
b1)複数の測定装置にそれぞれ固有の識別情報に対応した画面構成情報を保持する画面情報保持手段と、
b2)前記画面情報保持手段を参照して、前記通信線を通して受領した識別情報に対応する画面構成情報を取得する情報取得手段と、
b3)取得された画面構成情報に基づいて、 接続された測定装置に対応した態様の表示画面を表示手段に出力する表示制御手段と、
を備えることを特徴とする測定システム。
【請求項２】
請求項１に記載の測定システムであって、前記外部装置は、前記測定装置の内部状態の監視又は調整を行うものであることを特徴とする測定システム。
【発明の詳細な説明】
【技術分野】
【０００１】
本発明は  それ単体で対象物の測定を実施する測定装置と、必要に応じて有線又は無線の通信線を通して測定装置と接続される外部装置と、を含む測定システムに関する。外部装置は例えば、測定装置の保守管理、修理、動作確認、異常診断などを目的として、測定装置の内部状態の監視や調整などを行うためのものである。
【背景技術】
【０００２】
工場などの大規模なシステムや大形の装置に、ガス分析計などの各種の測定装置が組み込まれている場合、その測定装置の動作確認や調整、或いは故障の修理などを行う際に、可搬型の調整用・監視用外部装置（例えばコミュニケータなどと呼ばれる）が利用される（特許文献１、非特許文献１など参照）。図３に示すように、こうした外部装置２Ａと測定装置１Ａとは、有線LAN、無線LAN、RS232Cなどのシリアルデータ通信、赤外線通信などの既存の各種の通信線４を介して接続される。この接続により、測定装置１Ａの内部状態や設定パラメータなどのデータが外部装置２Ａに転送され、外部装置２Ａの表示画面３Ａ上にそれらデータに基づく数値、表、グラフ、或いは調整項目などが表示される。担当者はこの表示画面３Ａを見ながら、測定装置１Ａの状態の監視を行ったり調整を行ったりする。
【０００３】
測定装置の種類が異なる場合や同一機種の測定装置でも仕様が異なる場合には、外部装置の画面上に表示する表示画面の態様、例えば表示項目や画面レイアウトなど、を変更する必要があることがある。そこで、従来一般的には、測定装置毎に、対応した外部装置を用意するようにしている。即ち、図３に示すように、測定装置１Ａには外部装置２Ａを接続し、これとは異なる測定装置１Ｂには外部装置２Ｂを接続する。これにより、測定装置１Ａに対しては表示画面３Ａが外部装置２Ａの画面上に表示され、測定装置１Ｂに対しては表示画面３Ａとは異なる態様の表示画面３Ｂが外部装置２Ｂの画面上に表示される。
【０００４】
しかしながら、上記のような従来の方法では、測定装置の種類が増え、各測定装置に対応して異なる態様の表示画面を外部装置の画面上に表示する必要がある場合には、用意する外部装置の数も増えて、外部装置の保管・管理が煩雑になる。
【０００５】
用意しておく外部装置の数を減らすために、外部装置２Ａを測定装置１Ｂに接続して使用する際に、測定装置１Ｂに対応した表示画面３Ｂを表示できるように、外部装置２Ａの設定を変更したりソフトウエアを入れ替えたりすることも考えられる。しかしながら、この場合には、測定装置の種類が増えると、設定の変更作業やソフトウエアの入れ替え作業が煩雑になり、作業ミスも起こり易くなる。
【０００６】
また、或る測定装置において特定の顧客に特化した特殊機能を付加しており、その特殊機能を確認するために通常とは異なる専用の表示画面を外部装置に表示させる必要がある場合がある。この場合、特殊機能が付加されていることに担当者が気付かずに、汎用的な外部装置を測定装置に接続し、通常の表示画面で測定装置の調整や監視を行ってしまうと、調整漏れなどが起こるおそれがある。
【０００７】
【特許文献１】特開平６−１６９４８６号公報
【非特許文献１】「パームトップコミュニケータ」、[online]、株式会社島津製作所、[平成２０年５月７日検索]、インターネット＜URL:  http://www.shimadzu.co.jp/sss/products/shiyou/03ptc1000.html＞
【発明の開示】
【発明が解決しようとする課題】
【０００８】
本発明は上記課題に鑑みて成されたものであり、その主な目的とするところは、調整や内部状態の監視などのための表示画面の態様が相違する複数の測定装置に対し共通の外部装置を利用することができ、それによって外部装置の煩雑な保管・管理を不要とすることができる測定システムを提供することにある。
【課題を解決するための手段】
【０００９】
上記課題を解決するために成された本発明は、単体で対象物の測定を実施する測定装置と、必要に応じて有線又は無線の通信線を通して前記測定装置と接続される外部装置と、を含む測定システムであって、
前記測定装置は、
a1)当該装置固有の識別情報を保持する識別情報保持手段と、
a2)前記通信線を通して前記外部装置に前記識別情報を送出する情報送出手段と、
を備え、
前記外部装置は、
b1)複数の測定装置にそれぞれ固有の識別情報に対応した画面構成情報を保持する画面情報保持手段と、
b2)前記画面情報保持手段を参照して、前記通信線を通して受領した識別情報に対応する画面構成情報を取得する情報取得手段と、
b3)取得された画面構成情報に基づいて、 接続された測定装置に対応した態様の表示画面を表示手段に出力する表示制御手段と、
を備えることを特徴としている。
【００１０】
本発明に係る測定システムにおいて、前記外部装置は、前記測定装置の内部状態の監視又は調整を行うものとすることができる。
【００１１】
本発明に係る測定システムでは、例えば、保守管理担当者が測定装置の動作を確認して調整を行うために、その測定装置に通信線を介して外部装置を接続する。すると、測定装置では、自発的に又は外部装置からの要求を受けて、情報送出手段が識別情報保持手段から識別情報を読み出し、外部装置にあてて送出する。外部装置は、測定装置を特定するための識別情報を受け、情報取得手段が、画面情報保持手段を参照してその識別情報に対応した画面構成情報を取得する。画面構成情報は、例えば、表示画面のレイアウトを決める情報や、表示する項目を示す情報などを含むことができる。表示制御手段は、得られた画面構成情報に基づいて、 接続された測定装置に対応した態様の表示画面を表示手段に出力し、表示手段の画面上に表示させる。
【００１２】
画面情報保持手段には、予め、外部装置との接続が想定されるあらゆる測定装置について、それぞれ固有の識別情報に対応した画面構成情報を保持させておくのが好ましいが、当初想定されていなかった新たな測定装置が後で発売されることもあり得る。そこで、こうした測定装置についても対応が可能であるように、画面情報保持手段には後から容易に情報を追加できるようにしておくとよい。
【００１３】
なお、送られて来た識別情報に対応する画面構成情報が、画面情報保持手段に存在しない場合には、この外部装置に対応しない測定装置であるか、画面情報保持手段の情報が古い可能性がある。そこで、音や表示などにより、これを使用者に知らせるようにするとよい。
【発明の効果】
【００１４】
本発明に係る測定システムによれば、複数の測定装置に対しそれぞれ外部装置を用意する必要がなく、共通の外部装置を利用して、各測定装置に対応した表示画面を外部装置の表示手段に表示させ、測定装置の動作の監視や調整などの作業を行うことができる。したがって、外部装置の保管・管理が非常に容易になる。
【００１５】
また本発明に係る測定システムによれば、接続する測定装置の種類などを担当者が何ら気にすることなく、接続された測定装置に対応した表示画面を、自動的に外部装置の表示手段に表示させることができる。この際に、測定装置に合わせた外部装置の設定の変更やソフトウエアの入れ替えなどの面倒な作業も不要である。したがって、外部装置を使用して測定装置の監視や調整を実施する担当者の負担が軽減され、作業のミスも起こりにくくなる。
【００１６】
また本発明に係る測定システムによれば、測定装置に特殊機能が付加されている場合や通常とは異なる仕様を有している場合で、担当者がそうしたことに気付かない場合であっても、その特殊機能や特殊な仕様に対応した表示画面を外部装置の画面上に確実に表示させることができる。したがって、通常とは異なる特殊機能や特殊な仕様に対する監視や調整も漏れなく確実に行うことができる。
【発明を実施するための最良の形態】
【００１７】
本発明の一実施例である測定システムについて、添付の図面を参照して説明する。図１は本実施例による測定システムの要部のブロック構成図である。図２は本実施例による測定システムの使用形態の概念図である。
【００１８】
測定装置１Ａ、１Ｂ、…、１Ｎは例えば、工場において特定のガスの濃度などを監視するためのガス分析計などである。測定装置１Ａ（他の測定装置１Ｂ、…、１Ｎも同様）は、通常の測定部（図示せず）のほかに、外部装置接続認識部１０、送信部１１、識別データ保存部１２を備える。外部装置接続認識部１０は、例えば有線又は無線の通信線４を介した接続が確立されたことを認識する。或いは、通信線４が有線である場合には、その通信線端部のコネクタなどが挿入されたことを機械的又は電気的に検出するものであってもよい。識別データ保存部１２は例えばＲＯＭ又はフラッシュＲＯＭであり、各測定装置をそれぞれ特定するための識別コードが記憶されている。
【００１９】
一般にコミュニケータなどと呼ばれる外部装置２は、測定装置１Ａ、１Ｂ、…、１Ｎの調整を行う機能などを実現する回路部（図示せず）のほかに、受信部２０、参照制御部２１、表示制御部２２、参照情報保存部２３、及び表示部２４、を備える。参照情報保存部２３には、上述したように測定装置を特定する識別コードと画面構成情報とを対応付けた画面情報対照テーブル２３１が保存されている。基本的には、この画面情報対照テーブル２３１は当該外部装置２が出荷される段階で既に参照情報保存部２３に記憶されているが、後から情報の追記が可能であることが望ましいので、参照情報保存部２３としてはフラッシュＲＯＭなどの追記が容易な記憶素子を利用するとよい。
【００２０】
測定装置１Ａ、１Ｂ、…、１Ｎと外部装置２とを接続する通信線４は、有線又は無線のいずれでもよく、電気信号（電波を含む）によるもの又は光信号によるもののいずれでもよく、またその通信規格も特に問わない。操作性、作業性の点からは、無線方式が好ましいのは当然である。
【００２１】
本実施例の測定システムにおいて、測定装置１Ａはそれ単独で測定対象物の測定を実行し、測定結果を収集したり収集したデータを別の機器へ送信したりする。システムの保守管理や故障修理などを担当する担当者は、必要に応じて、通信線４を介して測定装置１Ａに外部装置２を接続する。外部装置２が接続されると、測定装置１Ａにおいて、外部装置接続認識部１０が外部装置２の接続を認識して指示信号を送信部１１に与える。送信部１１は識別データ保存部１２から識別コードを読み出し、これを通信線４を通して外部装置２へと送出する。
【００２２】
外部装置２において、受信部２０は送られて来た識別コードを受信し、参照制御部２１へ渡す。参照制御部２１は参照情報保存部２３に格納されている画面情報対照テーブル２３１を参照して、識別コードに対応した画面構成情報を読み出す。図１の例では、測定装置１Ａから識別コードＡが送られてくるから、画面情報対照テーブル２３１を参照して、画面構成情報ａが得られる。この画面構成情報が表示制御部２２に渡され、表示制御部２２はその画面構成情報に含まれる画面レイアウト情報などに基づいて表示画面を構成し、表示部２４の画面上にその表示画面を構成するデータを出力する。その結果、表示部２４には、測定装置１Ａに対応した表示画面３Ａが表示される。
【００２３】
表示部２４の画面上に表示される表示画面の態様は、画面情報対照テーブル２３１から読み出される画面構成情報により決まり、この画面構成情報は通信線４を通して測定装置１Ａ、１Ｂ、…、１Ｎから送られてくる識別コードによって決まる。したがって、図２に示すように、或る１台の外部装置２に対し、測定装置１Ａを接続すれば、表示画面３Ａが外部装置２の表示部２４の画面上に表示され、測定装置１Ｂを接続すれば、表示画面３Ｂが外部装置２の表示部２４の画面上に表示される。
【００２４】
即ち、共通の外部装置２を用いて、複数の測定装置に対応した異なる態様の表示画面を表示部２４の画面上に表示させることができる。そうした表示を行うに際して、基本的には、担当者は設定の変更やソフトウエアの入れ替えなどの作業を行う必要がない。もちろん、自動的に、つまり担当者の意図とは無関係に、接続された測定装置に対応した表示画面を表示するのではなく、例えば初期的には標準的な表示画面を表示させるようにし、担当者が所定のキー操作を行うと、接続された測定装置に対応した表示画面を表示するようにしてもよい。
【００２５】
前述のように、画面情報対照テーブル２３１にはこの外部装置２に接続されるあらゆる測定装置を想定した情報が登録されていることが望ましいが、実際には、外部装置２が工場から出荷される時点で想定されていない測定装置が後から販売されることがよくある。画面情報対照テーブル２３１に登録されていない識別コードが外部装置２に与えられたときには、外部装置２の表示部２４に標準的な表示画面を表示させるようにすればよいが、その場合、測定装置に対応した表示画面とはならない。そこで、図１に示したように、画面情報対照テーブル２３１の情報内容を、適宜、更新又は追加できるようにしておくことが好ましい。これによって、当初は想定していない測定装置が外部装置２に接続された場合でも、その測定装置に対応した表示画面を表示部２４に表示させることができる。こうした更新・追加情報は、インターネットなどのネットワークを通して提供してもよいし、CD-ROMなどのパッケージメディアで提供してもよい。
【００２６】
なお、上述のように画面情報対照テーブル２３１に登録されていない識別コードが外部装置２に与えられた場合に、適切でない表示画面を見ながら担当者が調整作業を行うことは好ましくない場合もあるので、音や表示により担当者に報知するようにしてもよい。
【００２７】
以上のように、本実施例の測定システムでは、共通の１台の外部装置を用いて、様々な種類又は仕様の測定装置にそれぞれ対応した表示画面を表示させることができる。それにより、各測定装置の内部状態の監視や調整などを、漏れなく確実に行うことができる。また、複数の外部装置を保管・管理する必要がなく、測定装置に対応した外部装置の設定変更やソフトウエアの入れ替えの手間も軽減される。また、担当者が気付かない特殊な機能が測定装置に組み込まれている、或いは、特殊な仕様の測定装置であるような場合でも、そうした機能や仕様を見落とすことなく、的確な調整を実施することができる。
【００２８】
なお、外部装置２は専用装置であってもよいが、汎用のパーソナルコンピュータに専用のソフトウエアが搭載されたものであってもよい。
【００２９】
また、上記実施例は本発明の一実施例であるから、本発明の趣旨の範囲で適宜、変形、修正、追加を行っても本願特許請求の範囲に包含されることは明らかである。
【図面の簡単な説明】
【００３０】
【図１】本発明の一実施例による測定システムの要部のブロック構成図。
【図２】本実施例による測定システムの使用形態の概念図。
【図３】従来の一般的な測定システムの使用形態の概念図。
【符号の説明】
【００３１】
１Ａ〜１Ｎ…測定装置
１０…外部装置接続認識部
１１…送信部
１２…識別データ保存部
２…外部装置
２０…受信部
２１…参照制御部
２２…表示制御部
２３…参照情報保存部
２３１…画面情報対照テーブル
２４…表示部
３Ａ〜３Ｎ…表示画面
４…通信線
【図１】
2009272892.tif 000003
【図２】
2009272892.tif 000004
【図３】
2009272892.tif 000005